(57)【要約】【課題】所定の換気量が確保できるとともに比較的容易に換気量を増加させることができる建具を提供すること。【解決手段】回動軸２４１を挟んで上下に延びる第１および第２の閉塞部２４２，２４３を有することで、この閉塞部材２４を回動させるためのトルクを小さくすることができ、気圧差が小さくても閉塞部材２４を確実に回動させて上側および下側の第２開口２２，２３を開放することができる。一方、気圧差が小さくなれば、第１閉塞部２４２と第２閉塞部２４３との重量差によって、閉塞部材２４が閉塞位置に回動し、上側および下側の第２開口２２，２３を閉塞することができる。さらに、第１閉塞部２４２と第２閉塞部２４３との重量バランスを適宜に調整しつつ、それらの面積を拡大することで、回動トルクをさほど増加させることなく大きな面積の閉塞部材２４を構成することができる。【選択図】図４
2010196402.tif 000002
【特許請求の範囲】
【請求項１】
上枠、下枠および左右の縦枠を有する枠体と、この枠体に開閉自在に支持される障子とを備えた建具であって、
前記障子は、上框、下框および左右の縦框と、これらの各框材に支持される面材とを有して構成され、
前記障子を閉じた状態において、前記上枠、下枠および左右の縦枠と前記上框、下框および左右の縦框とがそれぞれ気密材を介して当接するとともに、当該障子で仕切った一方側の空間と他方側の空間とが通気手段を介して連通可能に構成され、
前記通気手段は、前記一方側の空間に開口する第１開口と、前記他方側の空間に開口する第２開口と、この第２開口を閉塞、開放可能な閉塞部材とを有して構成され、
前記第２開口は、互いに並設される一対で構成され、これら一対の第２開口を仕切る位置に前記閉塞部材が回動自在に支持され、当該閉塞部材は、その回動中心を挟んで並設されて前記一対の第２開口をそれぞれ閉塞可能な第１閉塞部および第２閉塞部を有するとともに、前記一方側および他方側の空間の気圧差に伴って回動することで前記一対の第２開口を開放可能に構成されている建具。
【請求項２】
前記一対の第２開口は、上下に並設され、これらを上下に仕切る位置に設けられる略水平な回動軸回りに前記閉塞部材が回動可能に支持され、
前記第１閉塞部は、前記回動軸よりも上側に設けられ、前記第２閉塞部は、前記回動軸よりも下側に設けられている請求項１に記載の建具。
【請求項３】
前記第１閉塞部が前記一方側の空間に向かうとともに前記第２閉塞部が前記他方側の空間に向かう方向に前記閉塞部材が回動して前記一対の第２開口が開放される請求項２に記載の建具。
【請求項４】
前記通気手段は、前記下框に設けられ、前記一対の第２開口は、前記下框の内部を上下に仕切る下框仕切り部を挟んで当該下框の側面に上下に並設されるとともに、前記下框仕切り部に形成される第３開口を介して前記第１開口と下側の第２開口とが連通されるか、または
前記通気手段は、前記下枠と下框とに跨って設けられ、前記一対の第２開口のうち、上側の第２開口は、前記下框の側面に形成され、下側の第２開口は、前記下枠と下框との隙間によって構成されるとともに、前記下框の底面に形成される第３開口を介して前記第１開口と下側の第２開口とが連通される請求項１から請求項３のいずれかに記載の建具。
【請求項５】
前記通気手段は、前記上框に設けられ、前記一対の第２開口は、前記上框の内部を上下に仕切る上框仕切り部を挟んで当該上框の側面に上下に並設されるとともに、前記上框仕切り部に形成される第３開口を介して前記第１開口と下側の第２開口とが連通されるか、または
前記通気手段は、前記上枠と上框とに跨って設けられ、前記一対の第２開口のうち、上側の第２開口は、前記上枠と上框との隙間によって構成され、下側の第２開口は、前記上框の側面に形成されるとともに、前記上框の上面に形成される第３開口を介して前記第１開口と下側の第２開口とが連通されている請求項１から請求項４のいずれかに記載の建具。
【発明の詳細な説明】
【技術分野】
【０００１】
本発明は、枠体に開閉自在に支持される障子を備えた建具に関する。
【背景技術】
【０００２】
従来、建具として、枠体に支持された障子を備え、枠体と障子との隙間に設けた換気通路を介して浴室を換気可能とした浴室出入り口用建具がある（例えば、特許文献１参照）。
特許文献１に記載された建具では、上枠と上框との間に換気通路を形成し、この換気通路を開閉可能とする開閉弁が上枠に取り付けられている。開閉弁は、浴室換気扇などで浴室側を負圧とすることで浴室内外に生じる気圧差によって開放し、ばねの付勢力や自重によって閉じるように構成されるか、または、レバーや紐などの操作部材を介して手動操作によって開閉操作可能に構成されている。
【先行技術文献】
【特許文献】
【０００３】
【特許文献１】特開２００８−１４４４３８号公報
【発明の概要】
【発明が解決しようとする課題】
【０００４】
ところで、特許文献１に記載されたような従来の建具において、浴室内外の気圧差で開閉弁が開放するように構成した場合には、ばねの付勢力や自重に抗して開閉弁が回動するだけの気圧差が必要となり、換気扇の性能によっては十分な気圧差が発生せず、開閉弁が開ききらない可能性がある。このため、換気量を増加させるために換気通路を拡大しようとしても、開閉弁のサイズが大型化しにくく、換気量増加への対応が難しいという不都合もある。
【０００５】
本発明の目的は、所定の換気量が確保できるとともに比較的容易に換気量を増加させることができる建具を提供することにある。
【課題を解決するための手段】
【０００６】
本発明の建具は、上枠、下枠および左右の縦枠を有する枠体と、この枠体に開閉自在に支持される障子とを備えた建具であって、前記障子は、上框、下框および左右の縦框と、これらの各框材に支持される面材とを有して構成され、前記障子を閉じた状態において、前記上枠、下枠および左右の縦枠と前記上框、下框および左右の縦框とがそれぞれ気密材を介して当接するとともに、当該障子で仕切った一方側の空間と他方側の空間とが通気手段を介して連通可能に構成され、前記通気手段は、前記一方側の空間に開口する第１開口と、前記他方側の空間に開口する第２開口と、この第２開口を閉塞、開放可能な閉塞部材とを有して構成され、前記第２開口は、互いに並設される一対で構成され、これら一対の第２開口を仕切る位置に前記閉塞部材が回動自在に支持され、当該閉塞部材は、その回動中心を挟んで並設されて前記一対の第２開口をそれぞれ閉塞可能な第１閉塞部および第２閉塞部を有するとともに、前記一方側および他方側の空間の気圧差に伴って回動することで前記一対の第２開口を開放可能に構成されていることを特徴とする。
【０００７】
このような本発明によれば、他方側の空間に開口する第２開口を一対で構成し、これら一対の第２開口をそれぞれ閉塞可能な第１閉塞部および第２閉塞部を有して閉塞部材を構成するとともに、一対の第２開口を仕切る位置にて閉塞部材を回動自在に支持することで、閉塞部材がシーソー状態で支持されることとなる。従って、第１閉塞部および第２閉塞部の重量バランスを適宜に設定することにより、閉塞部材を回動させるためのトルクを小さくすることができ、一方側および他方側の空間の気圧差が小さくても閉塞部材を確実に回動させて第２開口を開放し、換気を実施することができる。さらに、第１開口や第２開口の開口面積を大きくして換気量を増加させる場合にも、第１閉塞部および第２閉塞部の重量バランスを適宜に調整しつつ、それらの面積を拡大すれば、回動トルクをさほど増加させることなく閉塞部材を構成することができ、比較的容易に換気量を増加させることができる。
【０００８】
この際、本発明の建具では、前記一対の第２開口は、上下に並設され、これらを上下に仕切る位置に設けられる略水平な回動軸回りに前記閉塞部材が回動可能に支持され、前記第１閉塞部は、前記回動軸よりも上側に設けられ、前記第２閉塞部は、前記回動軸よりも下側に設けられていることが好ましい。
このような構成によれば、上下に並設して一対の第２開口を形成し、略水平な回動軸回りに回動可能に閉塞部材を支持することで、左右方向に長く閉塞部材を形成し、上枠や下枠、上框、下框などに通気手段を設けたり、上枠と上框とに跨ってあるいは下枠と下框とに跨って通気手段を設けたりした場合に、第２開口の開口幅を大きくすることができ、換気量を容易に増加させることができる。この際、閉塞部材において、下側の第２閉塞部を上側の第１閉塞部よりも重く形成すれば、一方側および他方側の空間の気圧差がなくなるか所定の気圧差よりも小さくなれば、重い第２閉塞部が自重により下方に回動することから、閉塞部材を閉鎖方向に回動させて第２開口を確実に閉塞することができる。また、この場合でも、第１閉塞部と第２閉塞部との重量差をさほど大きくする必要がなく、回動軸の回転抵抗を上回る程度の重量差に設定しておけば、気圧差によって閉塞部材を確実に回動させることができる。なお、閉塞部材を閉鎖方向に回動させる外力としては、重力によるものに限らず、ばね等の弾性力によって閉塞部材を閉鎖方向に回動させてもよく、さらには、閉塞部材とは別途に閉鎖用の駆動手段を設け、その駆動力によって閉塞部材を閉鎖方向に回動させてもよい。
【０００９】
また、本発明の建具では、前記第１閉塞部が前記一方側の空間に向かうとともに前記第２閉塞部が前記他方側の空間に向かう方向に前記閉塞部材が回動して前記一対の第２開口が開放されることが好ましい。
このような構成によれば、上側の第１閉塞部が一方側の空間に向かい、下側の第２閉塞部が他方側の空間に向かうように回動した閉塞部材によって、一対の第２開口から他方側の空間に向かって下向きの吸気経路が形成される。従って、他方側の空間が浴室であれば、その外部である脱衣室等から空気を下向きに採り入れることができ、採り入れた空気を浴室内部に循環させた後に、上部の換気扇などから排気することで、浴室内の換気を効率的に実施することができる。
【００１０】
さらに、本発明の建具では、前記通気手段は、前記下框に設けられ、前記一対の第２開口は、前記下框の内部を上下に仕切る下框仕切り部を挟んで当該下框の側面に上下に並設されるとともに、前記下框仕切り部に形成される第３開口を介して前記第１開口と下側の第２開口とが連通されるか、または前記通気手段は、前記下枠と下框とに跨って設けられ、前記一対の第２開口のうち、上側の第２開口は、前記下框の側面に形成され、下側の第２開口は、前記下枠と下框との隙間によって構成されるとともに、前記下框の底面に形成される第３開口を介して前記第１開口と下側の第２開口とが連通されることが好ましい。
このような構成によれば、通気手段を建具の下部である下框に設けるかまたは下枠と下框とに跨って設けることで、一方側の空間から建具の下部を介して他方側の空間に空気を採り入れることができる。従って、他方側の空間が浴室であれば、その外部である脱衣室等から空気を浴室床の近傍に採り入れることができ、採り入れた空気で浴室床を乾燥させた後に、上部の換気扇などから排気することで、浴室内の湿気を効率的に除去することができる。
【００１１】
また、通気手段を下框に設けた場合に、下框の内部を上下に仕切る下框仕切り部に第３開口を形成して、この第３開口を介して第１開口と下側の第２開口とを連通することで、第１開口が下側の第２開口よりも上方に位置することとなり、万一下框内部に水が入ったとしても、この水が第１開口を介して一方側の空間に漏れることが防止できる。
一方、通気手段を下枠と下框とに跨って設けた場合に、下框の底面に第３開口を形成して、この第３開口を介して第１開口と下側の第２開口とを連通することで、前述と同様に一方側の空間に水が漏れることが防止できる。また、下枠と下框とに跨って通気手段を設けた場合には、下側の第２開口が下枠と下框との隙間に形成されることになるが、この隙間が閉塞部材の第２閉塞部によって塞がれ、他方側の空間から隙間への水等の浸入が阻止でき、隙間内部の汚れを防止することができる。
【００１２】
また、本発明の建具では、前記通気手段は、前記上框に設けられ、前記一対の第２開口は、前記上框の内部を上下に仕切る上框仕切り部を挟んで当該上框の側面に上下に並設されるとともに、前記上框仕切り部に形成される第３開口を介して前記第１開口と下側の第２開口とが連通されるか、または前記通気手段は、前記上枠と上框とに跨って設けられ、前記一対の第２開口のうち、上側の第２開口は、前記上枠と上框との隙間によって構成され、下側の第２開口は、前記上框の側面に形成されるとともに、前記上框の上面に形成される第３開口を介して前記第１開口と下側の第２開口とが連通されていることが好ましい。
このような構成によれば、通気手段を建具の上部である上框に設けるかまたは上枠と上框とに跨って設けることで、一方側の空間から建具の上部を介して他方側の空間に空気を採り入れることができる。従って、他方側の空間が浴室であれば、第２開口を水のかかりにくい上部に位置させることで、通気手段内部への水の浸入が防止できるとともに、採り入れた空気を障子に沿って下降させることで、障子の浴室側側面を乾燥させることもできる。
【００１３】
また、通気手段を上框に設けた場合に、上框の内部を上下に仕切る上框仕切り部に第３開口を形成して、この第３開口を介して第１開口と下側の第２開口とを連通することで、第１開口が下側の第２開口よりも上方に位置することとなり、上框内部への水の浸入をより一層確実に防止することができる。
一方、通気手段を上枠と上框とに跨って設けた場合には、上側の第２開口が上枠と上框との隙間に形成されることになるが、この隙間が閉塞部材の第１閉塞部によって塞がれるので、他方側の空間から隙間への水や湿気等の浸入が阻止でき、隙間内部の汚れを防止することができる。
【発明の効果】
【００１４】
以上のような本発明の建具によれば、通気手段の閉塞部材を確実に回動させて第２開口が開放されるので、所定の換気量を確保することができるとともに、閉塞部材の大きさを変更しても回動トルクへの影響が小さいことから、比較的容易に換気量を増加させることができる。
【図面の簡単な説明】
【００１５】
【図１】本発明の第１実施形態に係る建具を示す正面図である。
【図２】前記建具を示す縦断面図である。
【図３】前記建具を示す横断面図である。
【図４】前記建具の要部を拡大して示す縦断面図である。
【図５】本発明の第２実施形態に係る建具の要部を拡大して示す縦断面図である。
【図６】本発明の第３実施形態に係る建具の要部を拡大して示す縦断面図である。
【図７】本発明の第４実施形態に係る建具の要部を拡大して示す縦断面図である。
【発明を実施するための形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１７】
〔第１実施形態〕
図１は、第１実施形態に係る建具であるドア１を示す正面図である。図２および図３は、それぞれドア１を示す縦断面図および横断面図である。図４は、ドア１の要部である下部を拡大して示す縦断面図である。
図１〜図３において、ドア１は、一方側の空間である脱衣室と他方側の空間である浴室とを仕切る出入り口であって、上枠２、下枠３および左右の縦枠４を枠組みした枠体としての建具枠５と、この建具枠５に支持されて浴室側に開閉可能に設けられる障子１０とを備えて構成されている。障子１０は、上框１１、下框１２および左右の縦框１３と、これらを四周框組みした内部に支持される面材としての樹脂パネル１４とを有して構成されている。
【００１８】
障子１０の上框１１、下框１２および左右の縦框１３は、それぞれアルミ形材製であり、樹脂パネル１４は、半透明の合成樹脂製板材から構成されている。上框１１、下框１２および縦框１３は、それぞれの浴室側に偏った位置にて見付け方向内方に開口した凹溝部１１Ａ，１２Ａ，１３Ａを有して形成され、これらの凹溝部１１Ａ，１２Ａ，１３Ａで樹脂パネル１４の四周端縁を保持するように構成されている。そして、建具枠５の上枠２、下枠３および左右の縦枠４には、それぞれ気密材２Ａ，３Ａ，４Ａが設けられ、障子１０を閉じた状態において、各気密材２Ａ，３Ａ，４Ａが上框１１、下框１２および左右の縦框１３の脱衣室側側面に当接することで、脱衣室と浴室とが気密かつ水密に仕切られるようになっている。
【００１９】
図４において、下框１２は、凹溝部１２Ａを有する第１下框１２Ｂと、この第１下框１２Ｂの下方に対向して障子１０の下辺を構成する第２下框１２Ｃとを備えて構成され、それぞれの長手方向両端部が左右の縦框１３に固定されている。第１下框１２Ｂは、上面部１２１と、浴室側の側面部１２２と、上面部１２１と側面部１２２とを斜めに連結する傾斜面部１２３とを有して中空状に形成されている。第２下框１２Ｃは、脱衣室側の側面部１２４と、この側面部１２４から浴室側に突出する仕切り片部（下框仕切り部）１２５と、仕切り片部１２５よりも下側にて浴室側に下がり勾配を有した傾斜面部１２６と、側面部１２４および傾斜面部１２６の下端部を連結する底面部１２７とを有して形成されている。
【００２０】
以上の下框１２において、第１および第２の下框１２Ｂ，１２Ｃが互いに対向する隙間には、上側通気経路１２Ｄが形成され、第２下框１２Ｃの仕切り片部１２５と傾斜面部１２６との間には、下側通気経路１２Ｅが形成されている。そして、第２下框１２Ｃの仕切り片部１２５には、上側通気経路１２Ｄと下側通気経路１２Ｅとを連通させる複数の連通孔（第３開口）１２８が形成されている。さらに、下框１２と下枠３とに跨る位置には、障子１０を閉じた状態で脱衣室と浴室とを連通させて浴室の換気を行うための通気手段２０が設けられている。
【００２１】
通気手段２０は、脱衣室側に開口する第１開口２１と、浴室側に開口する一対の第２開口である上側第２開口２２および下側第２開口２３と、これら上側および下側の第２開口２２，２３を閉塞、開放可能な閉塞部材２４とを有して構成されている。第１開口２１は、第１下框１２Ｂの脱衣室側端部と第２下框１２Ｃの側面部１２４上端縁との間に形成され、上側第２開口２２は、第１下框１２Ｂの側面部１２２下端縁と第２下框１２Ｃの仕切り片部１２５先端部との間に形成され、下側第２開口２３は、第２下框１２Ｃの仕切り片部１２５先端部と下枠３の上面との間に形成されている。すなわち、上側第２開口２２と下側第２開口２３とは、互いに上下に並設して形成され、これら上側および下側の第２開口２２，２３は、仕切り片部１２５で仕切られている。
【００２２】
閉塞部材２４は、上側第２開口２２と下側第２開口２３とを仕切る位置である仕切り片部１２５の浴室側先端に回動自在に支持され、その回動中心であって略水平に延びる回動軸２４１と、回動軸２４１よりも上側に設けられて上側第２開口２２を閉塞可能な第１閉塞部２４２と、回動軸２４１よりも下側に設けられて下側第２開口２３を閉塞可能な第２閉塞部２４３とを有して構成されている。この閉塞部材２４では、第１閉塞部２４２よりも第２閉塞部２４３が若干重く、つまり若干大きな断面積を有して形成されており、この第２閉塞部２４３が自重によって下降することで、図２に示すように、上側第２開口２２および下側第２開口２３を同時に閉塞できるようになっている。すなわち、閉塞状態において、第１閉塞部２４２の先端が第１下框１２Ｂの側面部１２２下端縁に当接し、第２閉塞部２４３の先端が下枠３の上面に当接することで、上側および下側の第２開口２２，２３が閉塞部材２４によって閉塞されるようになっている。また、閉塞状態において、第２閉塞部２４３によって下枠３上面と下框１２の底面部１２７との隙間３Ｂが覆われることで、この隙間３Ｂへの水等の浸入を防止することができる。
【００２３】
一方、浴室内部の天井などに設けられた図示しない換気扇を作動させると、浴室内部が負圧となって脱衣室との間に気圧差が生じる。このような気圧差が生じると、閉塞部材２４は、図４に示すように、回動軸２４１を中心に第１閉塞部２４２が脱衣室側に向かい、第２閉塞部２４３が浴室側に向かって回動し、上側および下側の第２開口２２，２３を開放する開放位置に回動するように構成されている。そして、気圧差に伴って脱衣室側から第１開口２１を介して上側通気経路１２Ｄに空気が流れ込み、この空気は、上側通気経路１２Ｄで分岐した一方が上側第２開口２２を介して浴室内に流れ込み、他方が連通孔１２８を介して下側通気経路１２Ｅに流れ込み、下側第２開口２３を介して浴室内に流れ込むこととなる。この際、閉塞部材２４が浴室側に向かって下がり傾斜を有して開放されているため、浴室に流れ込む空気は、浴室の床面に向かって吹き下ろすことで、浴室床面を乾燥させるようになっている。また、換気扇の作動を停止させれば、脱衣室と浴室との気圧差がなくなり、前述したように閉塞部材２４が上側および下側の第２開口２２，２３を閉塞する閉塞位置に自動的に回動するように構成されている。
【００２４】
以上のように、閉塞部材２４がシーソー状態で支持されることによって、閉塞部材２４を回動させるためのトルクを小さくすることができ、脱衣室と浴室との気圧差が小さくても閉塞部材２４を確実に回動させて上側および下側の第２開口２２，２３を開放し、浴室の換気を実施することができる。一方、気圧差がなくなるか小さくなれば、第１閉塞部２４２と第２閉塞部２４３との重量差によって、閉塞部材２４が閉塞位置に回動し、上側および下側の第２開口２２，２３を閉塞することで、浴室内部の気密性および水密性を確保することができる。さらに、第１閉塞部２４２と第２閉塞部２４３との重量バランスを適宜に調整しつつ、それらの面積を拡大することで、回動トルクをさほど増加させることなく大きな面積の閉塞部材２４を構成することができ、これに対応して上側および下側の第２開口２２，２３や第１開口２１、上側通気経路１２Ｄ、下側通気経路１２Ｅを拡大することで、比較的容易に換気量を増加させることができる。
【００２５】
〔第２実施形態〕
図５は、第２実施形態に係る建具であるドア１Ａの要部を拡大して示す縦断面図である。
本実施形態のドア１Ａでは、通気手段の構成が前記第１実施形態と相違するものの、その基本構成は、第１実施形態のドア１と略同様である。すなわち、本実施形態の通気手段２０Ａは、下框１２に設けられ、第１実施形態と略同様の第１開口２１および上側第２開口２２と、下框１２の下部に形成された下側第２開口２３Ａと、第１実施形態よりも小型の閉塞部材２４Ａとを有して構成されている。以下、相違点を詳しく説明する。
【００２６】
本実施形態において、下框１２は、前述と略同様の第１下框１２Ｂと第２下框１２Ｃとを備え、第２下框１２Ｃには、傾斜面部１２６の浴室側下端部に連続しかつ底面部１２７に連結される当接面部１２９が形成されている。下側第２開口２３Ａは、第２下框１２Ｃの仕切り片部１２５先端部と当接面部１２９との間に形成されている。閉塞部材２４Ａは、回動軸２４１と第１閉塞部２４２と第２閉塞部２４３とを有して構成され、第２閉塞部２４３は、その先端を当接面部１２９に当接させることで下側第２開口２３Ａを閉塞可能に構成されている。この閉塞部材２４Ａは、換気扇の作動による浴室側の負圧によって、上側および下側の第２開口２２，２３Ａを開放する開放位置に回動し、脱衣室側から第１開口２１を介して上側通気経路１２Ｄに流れ込んだ空気は、上側および下側の第２開口２２，２３Ａを介して浴室内に流れ込むこととなる。一方、換気扇の作動を停止させれば、閉塞部材２４Ａは、閉塞位置に自動的に回動して上側および下側の第２開口２２，２３Ａを閉塞するようになっている。
【００２７】
以上のような本実施形態によれば、前記第１実施形態と略同様の効果に加え、通気手段２０Ａが下框１２に設けられていることで、障子１０の建て付け調節によって下枠３に対する高さが変動した場合でも、その影響を受けず、閉塞部材２４Ａを確実に開閉動作させて換気性能が確保できるという効果を奏することができる。
【００２８】
〔第３実施形態〕
図６は、第３実施形態に係る建具であるドア１Ｂの要部を拡大して示す縦断面図である。
本実施形態のドア１Ｂでは、通気手段の構成が前記第１、２実施形態と相違するものの、その基本構成は、第１、２実施形態のドア１，１Ａと略同様である。すなわち、本実施形態の通気手段３０は、上框１１に設けられている。以下、相違点を詳しく説明する。
【００２９】
本実施形態において、上框１１は、凹溝部１１Ａを有する第１上框１１Ｂと、この第１上框１１Ｂの上方に対向して障子１０の上辺を構成する第２上框１１Ｃとを備えて構成され、それぞれの長手方向両端部が左右の縦框１３に固定されている。第１上框１１Ｂは、脱衣室側の側面部１１１と、この側面部１１１から浴室側に突出する仕切り片部（上框仕切り部）１１２と、仕切り片部１１２よりも下側にて浴室側に下がり勾配を有した傾斜面部１１３と、側面部１１１および傾斜面部１１３の下端部を連結する底面部１１４とを有して形成され、底面部１１４の浴室側端部に凹溝部１１Ａが形成されている。第２上框１１Ｃは、上面部１１５と、浴室側の側面部１１６と、脱衣室側の側面部１１７と、側面部１１６，１１７同士を斜めに連結する傾斜面部１１８とを有して中空状に形成されている。
【００３０】
以上の上框１１において、第１および第２の上框１１Ｂ，１１Ｃが互いに対向する隙間には、上側通気経路１１Ｄが形成され、第１上框１１Ｂの仕切り片部１１２と傾斜面部１１３との間には、下側通気経路１１Ｅが形成されている。そして、第１上框１１Ｂの仕切り片部１１２には、上側通気経路１１Ｄと下側通気経路１１Ｅとを連通させる複数の連通孔（第３開口）１１９が形成されている。通気手段３０は、脱衣室側に開口する第１開口３１と、浴室側に開口する一対の第２開口である上側第２開口３２および下側第２開口３３と、これら上側および下側の第２開口３２，３３を閉塞、開放可能な閉塞部材３４とを有して構成されている。第１開口３１は、第１上框１１Ｂの側面部１１１と第２上框１１Ｃの側面部１１７との間に形成され、上側第２開口３２は、第１上框１１Ｂの仕切り片部１１２先端縁と第２上框１１Ｃの側面部１１６下端部との間に形成され、下側第２開口３３は、第１上框１１Ｂの仕切り片部１１２先端縁と傾斜面部１１３の下端部との間に形成されている。すなわち、上側第２開口３２と下側第２開口３３とは、仕切り片部１１２を挟んで上下に並設されている。
【００３１】
閉塞部材３４は、上側第２開口３２と下側第２開口３３とを仕切る位置である仕切り片部１１２の浴室側先端に回動自在に支持され、その回動中心である回動軸３４１と、回動軸３４１よりも上側に設けられて上側第２開口３２を閉塞可能な第１閉塞部３４２と、回動軸３４１よりも下側に設けられて下側第２開口３３を閉塞可能な第２閉塞部３４３とを有して構成されている。この閉塞部材３４では、第１閉塞部３４２よりも第２閉塞部３４３が若干重く形成されており、この第２閉塞部３４３が自重によって下降することで、上側および下側の第２開口３２，３３を同時に閉塞できるようになっている。すなわち、閉塞状態において、第１閉塞部３４２の先端が第２上框１１Ｃの側面部１１６下端縁に当接し、第２閉塞部３４３の先端が第１上框１１Ｂの傾斜面部１１３下端部に当接することで、上側および下側の第２開口３２，３３が閉塞部材３４によって閉塞されるようになっている。
【００３２】
また、閉塞部材３４は、浴室の換気扇を作動させて脱衣室との間に気圧差が生じると、上側および下側の第２開口３２，３３を開放する開放位置に回動し、脱衣室側から第１開口３１を介して上側通気経路１１Ｄに流れ込んだ空気は、上側通気経路１１Ｄで分岐した一方が上側第２開口３２を介して浴室内に流れ込み、他方が連通孔１１９を介して下側通気経路１１Ｅに流れ込み、下側第２開口３３を介して浴室内に流れ込むこととなる。一方、換気扇の作動を停止させれば、閉塞部材３４は、閉塞位置に自動的に回動して上側および下側の第２開口３２，３３を閉塞するようになっている。
以上のような本実施形態によれば、前記第１、２実施形態と略同様の効果に加え、通気手段３０が上框１１に設けられていることで、浴室内部で使用する水等がかかりにくくでき、上框１１内部へ水が浸入しにくくなることで汚れが防止できるという効果を奏することができる。
【００３３】
〔第４実施形態〕
図７は、第４実施形態に係る建具であるドア１Ｃの要部を拡大して示す縦断面図である。
本実施形態のドア１Ｃでは、上枠２および上框１１の形状と通気手段の構成と前記第３実施形態と相違するものの、その他の構成は、第３実施形態のドア１Ｂと略同様である。すなわち、本実施形態の通気手段３０Ａは、上枠２と上框１１とに跨ってに設けられている。以下、相違点を詳しく説明する。
【００３４】
本実施形態において、上枠２は、第１上枠２Ｂと、この第１上枠２Ｂの下方に対向する第２上枠２Ｃとを備えて構成され、それぞれの長手方向両端部が左右の縦枠４に固定されている。第１上枠２Ｂは、中空状の上枠本体から下方に延びる浴室側の上枠側面部２Ｄを有して形成され、第２上枠２Ｃは、下端部に気密材２Ａを保持する脱衣室側の上枠側面部２Ｅを有して形成されている。そして、第１および第２の上枠２Ｂ，２Ｃが互いに対向する隙間には、上側通気経路２Ｆが形成されている。一方、上框１１は、第３実施形態の第１上框１１Ｂと略同様に、脱衣室側の側面部１１１、傾斜面部１１３および底面部１１４を有し、さらに傾斜面部１１３の下端部から上方に延びる浴室側の側面部１１Ｆを有して形成されている。また、上框１１は、互いに対向する側面部１１１，１１Ｆ間にて上方に開口した上框開口部（第３開口）１１Ｇを有し、この上框開口部１１Ｇの内部側に下側通気経路１１Ｈを有して構成されている。
【００３５】
通気手段３０Ａは、脱衣室側に開口する第１開口３１Ａと、浴室側に開口する一対の第２開口である上側第２開口３２Ａおよび下側第２開口３３Ａと、これら上側および下側の第２開口３２Ａ，３３Ａを閉塞、開放可能な閉塞部材３４Ａとを有して構成されている。第１開口３１Ａは、第１上枠２Ｂと第２上枠２Ｃとの間に形成され、上側第２開口３２Ａは、第１上枠２Ｂの上枠側面部２Ｄ下端部と上框１１の側面部１１Ｆ上端部との間に形成され、下側第２開口３３Ａは、上框１１の側面部１１Ｆに設けた複数の開口によって構成されている。すなわち、上側第２開口３２Ａと下側第２開口３３Ａとは、側面部１１Ｆの上端部を挟んで上下に並設されている。閉塞部材３４Ａは、回動軸３４１と第１閉塞部３４２と第２閉塞部３４３とを有して構成され、回動軸３４１は、上框１１の側面部１１Ｆ上端部に支持されている。そして、第１閉塞部３４２は、その先端を第１上枠２Ｂの上枠側面部２Ｄ下端部に当接させることで上側第２開口３３Ａを閉塞可能に構成され、第２閉塞部３４３は、その先端を上框１１の側面部１１Ｆ基端部に当接させることで下側第２開口３３Ａを閉塞可能に構成されている。
【００３６】
また、閉塞部材３４Ａは、換気扇の作動による浴室側の負圧によって、上側および下側の第２開口３２Ａ，３３Ａを開放する開放位置に回動し、脱衣室側から第１開口３１Ａを介して上側通気経路２Ｆに流れ込んだ空気は、上側および下側の第２開口３２Ａ，３３Ａを介して浴室内に流れ込むこととなる。一方、換気扇の作動を停止させれば、閉塞部材３４Ａは、閉塞位置に自動的に回動して上側および下側の第２開口３２Ａ，３３Ａを閉塞するようになっている。
以上のような本実施形態によれば、前記第３実施形態と略同様の効果を奏することができる。
【００３７】
なお、本発明は前記実施形態の構成に限定されるものではない。
例えば、前記実施形態では、浴室出入り口用の建具としてのドア１を例示して説明したが、本発明の建具は、浴室出入り口用の建具に限らず、建物の窓や出入り口に用いられるものであってもよい。また、前記実施形態では、浴室側に開閉可能な障子１０を有したドア１，１Ａ，１Ｂ，１Ｃについて説明したが、これに限らず、本発明の建具は、スライド開閉可能に設けられた１枚の障子を有した片引き形式の引き戸でもよく、また２枚以上の障子が開閉自在に支持された二枚建てや三枚建ての引き戸でもよい。
【００３８】
また、前記実施形態では、通気手段２０を下枠３と下框１２とに跨って設け、通気手段２０Ａを障子１０の下框１２に設け、通気手段３０を障子１０の上框１１に設け、通気手段３０Ａを上枠２と上框１１とに跨って設けた例を説明したが、通気手段が上枠２あるいは下枠３に設けられていてもよく、縦枠４と障子１０の縦框１３とに跨って設けられていてもよく、縦枠４あるいは縦框１３に設けられていてもよい。また、通気手段としては、上框１１および下框１２の両方や、上枠２と上框１１とに跨る位置と下枠３と下框１２とに跨る位置との両方など、複数位置に設けられていてもよい。さらに、障子１０の上框１１や下框１２、縦框１３に限らず、中桟を有した障子であれば、この中桟に通気手段が設けられていてもよく、縦骨を有する枠体であれば、この縦骨に通気手段が設けられてもよく、縦骨と縦框１３とに跨って通気手段が設けられていてもよいし、無目を有する枠体であれば、この無目に通気手段が設けられてもよい。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４０】
１，１Ａ，１Ｂ，１Ｃ…ドア（建具）、２…上枠、３…下枠、４…縦枠、２Ａ，３Ａ，４Ａ…気密材、５…建具枠（枠体）、１０…障子、１１…上框、１１Ｇ…上框開口部（第３開口）、１２…下框、１３…縦框、１４…樹脂パネル（面材）、２０，２０Ａ…通気手段、２１…第１開口、２２…上側第２開口、２３，２３Ａ…下側第２開口、２４，２４Ａ…閉塞部材、３０，３０Ａ…通気手段、３１，３１Ａ…第１開口、３２，３２Ａ…上側第２開口、３３，３３Ａ…下側第２開口、３４，３４Ａ…閉塞部材、１１２…仕切り片部（上框仕切り部）、１１９，１２８…連通孔（第３開口）、１２５…仕切り片部（下框仕切り部）、２４１，３４１…回動軸、２４２，３４２…第１閉塞部、２４３，３４３…第２閉塞部。
【図１】
2010196402.tif 000003
【図２】
2010196402.tif 000004
【図３】
2010196402.tif 000005
【図４】
2010196402.tif 000006
【図５】
2010196402.tif 000007
【図６】
2010196402.tif 000008
【図７】
2010196402.tif 000009